(57)【特許請求の範囲】
【請求項１】
ガス流れを可能にする入口と出口を備えた少なくとも１つの容器と、ガス状混合物から第１のガス状成分を選択的に吸着し、かつ第２のガス状成分を主として含む出口ガス流れを可能にすることができる吸着媒体と、を含むガス発生器の吸着フェーズを制御する方法であって、
前記容器の入口を通るように入口ガス流れを誘導する段階と、
前記容器の出口に位置する流量計により前記出口ガス流れを測定する段階と、
前記容器の前記出口での前記第２のガス状成分の濃度を決定する段階と、
を含み、
Ａ１）前記容器の容量を計算する段階であって、前記容量は、前記第２のガス状成分が現在の操作状態で且つ濃度の設定値で供給され得る単位時間当たりの前記第２のガス状成分の最大の容量である前記容器の容量を計算する段階と、
Ａ２）前記測定された出口ガス流れを前記計算された容量と比較する段階と、
Ａ３）前記測定された出口ガス流れが前記計算された容量よりも低い場合、かつ前記決定された濃度が設定値よりも高いか又はそれに等しい場合に、前記濃度の設定値を前記ガス発生器によって維持することができるように計算された予め決められた時間間隔Δｓにわたって前記容器を吸着フェーズに維持する段階と、
Ａ４）前記予め決められた時間間隔Δｓ後に前記容器に再生サイクルを受けさせる段階と、
を更に含むことを特徴とする方法。
【請求項２】
前記決定された濃度を設定値と比較し、該濃度が該設定値よりも低い場合に、前記入口ガス流れを中断して前記容器に再生サイクルを受けさせる段階を更に含むことを特徴とする請求項１に記載の方法。
【請求項３】
公称の予め決められたサイクル時間Δｓ0の後に前記入口ガス流れを中断する段階を更に含むことを特徴とする請求項２に記載の方法。
【請求項４】
前記ガス発生器の前記容量は、以下の式：
Ｑｃａｐ＝比容量×ガス発生器容積×Ｋｐｃ×Ｋｔｃ
に基づいて決定され、
それにより、Ｋｐｃは、容量に対する圧力補正係数であり、Ｋｔｃは、容量に対する温度補正係数である、
ことを特徴とする請求項１に記載の方法。
【請求項５】
前記容器が吸着フェーズΔｔ１にある時間の量を最小設定時間間隔Δｔ２と比較する段階を更に含むことを特徴とする請求項１から請求項４のいずれか１項に記載の方法。
【請求項６】
Δｔ１＞Δｔ２である場合、かつ前記測定された出口ガス流れが前記計算された容量よりも低い場合、かつ前記決定された濃度が前記設定値よりも高いか又はそれに等しい場合に、前記容器が、前記予め決められた時間間隔Δｓにわたって吸着フェーズに維持される段階、又は
Δｔ１＜＝Δｔ２である場合、又は前記決定された濃度が前記設定値よりも低い場合かつ前記測定された出口ガス流れが前記計算された容量よりも低い場合に、前記容器生器が、前記公称の予め決められたサイクル時間Δｓ0中に吸着フェーズに維持され、その後に再生サイクルを受けさせられる段階、
のうちの一方を含むことを特徴とする請求項２及び請求項５に記載の方法。
【請求項７】
前記第１のガス状成分は、酸素であり、前記第２のガス状成分は、窒素であることを特徴とする請求項１に記載の方法。
【請求項８】
前記ガス発生器の一部である少なくとも１つの容器の入口を通るように前記入口ガス流れを誘導する段階を更に含むことを特徴とする請求項１に記載の方法。
【請求項９】
これに代えて少なくとも２つの容器の入口を通るように前記入口ガス流れを誘導する段階を更に含むことを特徴とする請求項８に記載の方法。
【請求項１０】
前記再生サイクル中に前記出口ガス流れを１つの容器から少なくとも別の容器の前記入口まで誘導する段階を更に含むことを特徴とする請求項９に記載の方法。
【請求項１１】
前記出口ガス流れを前記計算された容量と比較し、前記出口ガス流れが前記計算された容量からパーセントで計算された第１の閾値よりも高い場合には、予め決められた時間間隔にわたって前記入口ガス流れを維持する段階を特徴とする請求項１に記載の方法。
【請求項１２】
前記測定された出口ガス流れが前記計算された容量からパーセントで計算された第１の閾値よりも高い場合に、予め決められた公称時間間隔Δｓ0にわたって前記入口ガス流れを維持する段階、又は
前記測定された出口ガス流れが前記計算された容量からパーセントで計算された前記第１の閾値よりも低い場合に、予め決められた第１の時間間隔Δｓ1にわたって前記入口ガス流れを維持する段階、
のうちの少なくとも一方を更に含むことを特徴とする請求項１１に記載の方法。
【請求項１３】
前記測定された出口ガス流れが、前記計算された容量からパーセントで計算された第１の閾値よりも高い場合に、予め決められた公称時間間隔Δｓ0にわたって前記入口ガス流れを維持する段階、又は
前記測定された出口ガス流れが、前記計算された容量からパーセントで計算された前記第１の閾値よりも低い場合に、予め決められた第１の時間間隔Δｓ1にわたって前記入口ガス流れを維持する段階、又は
前記測定された出口ガス流れが、前記計算された容量からパーセントで計算された第２の閾値よりも低い場合に、予め決められた第２の時間間隔Δｓ2にわたって前記入口ガス流れを維持する段階、又は
前記測定された出口ガス流れが、前記計算された容量からパーセントで計算された第３の閾値よりも低い場合に、予め決められた第３の時間間隔Δｓ3にわたって前記入口ガス流れを維持する段階、
のうちの少なくとも１つを更に含むことを特徴とする請求項１１又は請求項１２に記載の方法。
【請求項１４】
前記測定された出口ガス流れが、前記計算された容量からパーセントで計算された第１の閾値よりも高いか又はそれに等しい場合に、予め決められた公称時間間隔Δｐ0にわたって前記入口ガス流れを維持する段階、又は
前記測定された出口ガス流れが、前記計算された容量からパーセントで計算された前記第１の閾値よりも低い場合に、予め決められた第１の時間間隔Δｐ1にわたって前記入口ガス流れを維持する段階、又は
前記測定された出口ガス流れが、前記計算された容量からパーセントで計算された第２の閾値よりも低い場合に、予め決められた第２の時間間隔Δｐ2にわたって前記入口ガス流れを維持する段階、又は
前記測定された出口ガス流れが、前記計算された容量からパーセントで計算された第３の閾値よりも低い場合に、予め決められた第３の時間間隔Δｐ3にわたって前記入口ガス流れを維持する段階、又は
前記測定された出口ガス流れが、前記計算された容量からパーセントで計算された第４の閾値よりも低い場合に、予め決められた第４の時間間隔Δｐ4にわたって前記入口ガス流れを維持する段階、又は
前記測定された出口ガス流れが、前記計算された容量からパーセントで計算された第５の閾値よりも低い場合に、予め決められた第５の時間間隔Δｐ5にわたって前記入口ガス流れを維持する段階、又は
前記測定された出口ガス流れが、前記計算された容量からパーセントで計算された第６の閾値よりも低い場合に、予め決められた第６の時間間隔Δｐ6にわたって前記入口ガス流れを維持する段階、又は
前記測定された出口ガス流れが、前記計算された容量からパーセントで計算された第７の閾値よりも低い場合に、予め決められた第７の時間間隔Δｐ7にわたって前記入口ガス流れを維持する段階、又は
前記測定された出口ガス流れが、前記計算された容量からパーセントで計算された第８の閾値よりも低い場合に、予め決められた第８の時間間隔Δｐ8にわたって前記入口ガス流れを維持する段階、又は
前記測定された出口ガス流れが、前記計算された容量からパーセントで計算された第９の閾値よりも低い場合に、予め決められた第９の時間間隔Δｐ9にわたって前記入口ガス流れを維持する段階、
のうちの少なくとも１つを更に含むことを特徴とする請求項１１又は請求項１２に記載の方法。
【請求項１５】
前記時間間隔のうちの２又は３以上が、互いに比較された時に異なる長さのものであることを特徴とする請求項１２から請求項１４に記載の方法。
【請求項１６】
ガス発生器であって、
ガスの流れが通過するのを可能にするための入口及び出口と、ガス状混合物から第１のガス状成分を選択的に吸着し、かつ第２のガス状成分を主として含む出口ガス流れが該出口を通って流れることを可能にすることができる吸着材料とを含む少なくとも１つの容器と、
前記容器の前記入口で入口ガス流れを供給するための手段と、
を含み、
前記デバイスは、
前記出口ガス流れを測定するために前記容器の前記出口に位置決めされた流量計と、
前記容器の前記出口に位置決めされて前記第２のガス状成分の濃度を決定するための手段と、
前記流量計にかつ前記第２のガス状成分の前記濃度を決定するための前記手段に接続され、前記出口ガス流れと該測定された濃度との測定値を受信するように構成されたコントローラユニットと、
を更に含み、
前記コントローラユニットは、
前記第２のガス状成分が現在の操作状態で且つ濃度の設定値で供給され得る単位時間当たりの前記第２のガス状成分の最大の容量である前記容器の容量を計算し、
前記測定された出口ガス流れを前記計算された容量と比較し、
前記第２のガス状成分の前記決定された濃度を設定値と比較する、
ように構成されたアルゴリズムが設けられた処理ユニットを更に含み、
前記コントローラユニットは、前記測定された濃度が設定値に等しいか又はそれよりも高い時、かつ前記測定された出口ガス流れが前記計算された容量よりも低い時に、前記濃度の設定値を前記ガス発生器によって維持することができるように計算された予め決められた時間間隔Δｓにわたって前記入口ガス流れを維持し、且つ、前記予め決められた時間間隔Δｓの後に再生サイクルを前記容器に適用するように更にプログラムされる、
ことを特徴とするガス発生器。
【請求項１７】
前記コントローラユニットは、予め決められた公称サイクル時間間隔Δｓ0にわたって前記容器の前記入口での前記入口ガス流れを維持し、かつ前記測定された濃度が前記設定値よりも低い時に該予め決められた公称サイクル時間間隔Δｓ0の後に該入口ガス流れを停止するように更にプログラムされることを特徴とする請求項１６に記載のガス発生器。
【請求項１８】
前記コントローラユニットは、再生サイクルを前記容器に適用するように更にプログラムされることを特徴とする請求項１７に記載のガス発生器。
【請求項１９】
ガスの流れが通過するのを可能にする入口及び出口と、ガス状混合物から第１のガス状構成要素を選択的に吸着し、かつ第２のガス状成分を主として含む出口ガス流れが該出口を通って流れることを可能にすることができる吸着材料とを各々が含む少なくとも２つの容器を更に含むことを特徴とする請求項１６に記載のガス発生器。
【請求項２０】
前記少なくとも２つの容器のうちのいずれかの１つの前記入口を通して前記入口ガス流れを選択的に供給するように更にプログラムされることを特徴とする請求項１９に記載のガス発生器。
【請求項２１】
前記少なくとも２つの容器の各々が外側環境に通気されることを可能にするための分岐接続部を更に含むことを特徴とする請求項１６に記載のガス発生器。
【請求項２２】
前記コントローラユニットは、前記少なくとも２つの吸着容器のうちの１つに対して再生サイクルを開始し、かつ前記入口ガス流れを他方の該少なくとも２つの再生容器のうちの１つを通るように選択的に誘導するように更にプログラムされることを特徴とする請求項１９に記載のガス発生器。
【請求項２３】
前記コントローラユニットは、前記少なくとも２つの容器のうちの１つが吸着フェーズにある時間間隔Δｔ１を測定し、かつ該測定された時間間隔を最小設定時間間隔Δｔ２と比較するように更にプログラムされ、かつ
Δｔ１＞Δｔ２である場合、かつ前記測定された濃度が設定値に等しいか又はそれよりも高い場合、かつ前記測定された出口ガス流れが前記計算された容量よりも低い時に、前記コントローラユニットは、前記予め決められた時間間隔Δｓにわたって前記入口ガス流れを維持し、又は
Δｔ１＜＝Δｔ２である場合、かつ前記測定された濃度が設定値に等しいか又はそれよりも高い場合、かつ前記測定された出口ガス流れが前記計算された容量よりも低い時に、前記コントローラユニットは、前記予め決められた公称サイクル時間間隔Δｓ0にわたって前記入口ガスを維持する、
ことを特徴とする請求項１６に記載のガス発生器。
【請求項２４】
前記少なくとも２つの容器の各々が、炭素分子篩を含む吸着媒体を含むことを特徴とする請求項１９に記載のガス発生器。
【請求項２５】
コントローラユニットであって、
再生容器の出口で出口ガス流れを測定する手段と、
前記再生容器の前記出口で第２のガス状成分の濃度を決定するための手段と、
前記測定されたデータを設定値と比較するためのかつ前記ガスの流れが前記容器の入口を通して案内される時間間隔を制御するための処理ユニットと、
を含み、
前記コントローラは、請求項１６から請求項２３のいずれか１項に記載のガス発生器に設けられるように構成される、
ことを特徴とするコントローラユニット。
【発明の詳細な説明】
【技術分野】
【０００１】
本発明は、ガス状混合物を含む入口ガス流れから第１のガス状成分を選択的に吸着し、かつ第２のガス状成分を主として含む出口ガス流れを可能にすることができる吸着媒体を含むガス発生器の吸着フェーズを制御する方法に関連し、本方法は、入口ガス流れをガス発生器の入口を通るように誘導する段階と、出口ガス流れを測定する段階と、容器の出口で第２のガス状成分の濃度を決定する段階とを含む。
【背景技術】
【０００２】
ガス状混合物の分別から発生されたガス状成分の比較的一定の濃度を維持する方法は当業技術で公知である。
【０００３】
一例は、ガス状混合物の分別のための循環吸着工程が説明されているＬＩＮＤＥ  ＡＫＴＩＥＮＧＥＳＥＬＬＳＣＨＡＦＴという名称で出願されたＵＳ  ４，３２３，３７０に見ることができる。この工程は、吸着体から吸着フェーズ中に引き出された製品ガスストリームの容積を制御することにより、吸着された成分の残留濃度のレベルを実質的に一定に維持する。
【０００４】
そのような工程の欠点の１つは、吸着に使用されるエネルギの量である。その理由は、吸着フェーズが増加すると、工程を実施するシステムの生産性が低下するからである。これは、より大きい容積のガスを処理しなければならなくなるために起こり、吸着工程が行われた後にガス状成分の一方が使用される間に、他方のガス状成分は、吸着体内に捕捉され、容器のより大きい容積を充填し、最終的に吸着体床を飽和する。これは、デバイスにより多くのエネルギを消費させ、必要とされるよりも低い濃度のガス状成分を最終的にもたらすことになる。
【０００５】
別の欠点は、吸着サイクルの持続時間がガス状成分の濃度要件と相関していないので吸着工程の効率が低いことである。
【０００６】
識別されたリスクは、要求よりも低いガス状成分の濃度に直面する可能性であり、上述の文書は、当面の対策を提供せず、この事実は、ユーザの工程又はネットワークを危くする可能性がある。
【先行技術文献】
【特許文献】
【０００７】
【特許文献１】米国特許第４，３２３，３７０号明細書
【発明の概要】
【発明が解決しようとする課題】
【０００８】
上述の欠点及びリスクを考慮に入れて、本発明の目的は、ガス発生器の吸着フェーズを制御し、その間はガス状成分の濃度が望ましいレベルに維持される一方、同時に吸着工程のエネルギ消費が減少する方法を提供することである。
【０００９】
本発明の別の目的は、増大したエネルギ効率を上述のガス状成分の様々な需要中に維持することである。
【００１０】
本発明の別の目的は、その後の吸着サイクル中に高いレベルのエネルギ効率を維持するのを助ける方法を提供することである。
【００１１】
本発明の更に別の目的は、全体システムの維持費を最終的に低減すると考えられる方法を提供することである。
【課題を解決するための手段】
【００１２】
本発明は、ガス状混合物を含む入口ガス流れから第１のガス状成分を選択的に吸着し、かつ第２のガス状成分を主として含む出口ガス流れを可能にすることができる吸着媒体を含むガス発生器の吸着フェーズを制御する方法を提供することにより、上記及び／又は他の問題の少なくとも１つを解決し、本方法は、入口ガス流れをガス発生器の入口を通るように誘導する段階と、出口ガス流れを測定する段階と、容器の出口での第２のガス状成分の濃度を決定する段階とを含み、本方法は、更に、Ａ１）発生器の容量を計算する段階と、Ａ２）測定された出口ガス流れを計算された容量と比較する段階と、Ａ３）測定された出口ガス流れが計算された容量よりも低い場合、かつ決定された濃度が設定値よりも高いか又はそれに等しい場合に、発生器を予め決められた時間間隔Δｓにわたって吸着フェーズに維持する段階と、Ａ４）予め決められた時間間隔Δｓ後に発生器に再生サイクルを受けさせる段階とを更に含む。
【００１３】
実際に、発生器の計算された容量を測定された出口流れと比較し、同じく決定された濃度を設定値と比較することにより、本発明による方法は、ある一定の瞬間での容器の条件に関する正確な視点を提供し、かつ発生器の出口での第２のガス状成分に対する望ましい濃度レベルを維持する。
【００１４】
更に、本方法は、出口流れの測定値及び発生器の容量を考慮に入れるので、吸着媒体の飽和が回避され、発生器が高効率で作動し、かつ吸着工程の持続時間を通して第２のガス状成分の所要の濃度を維持することを可能にする。
【００１５】
試験は、吸着工程の効率が吸着サイクルに対する時間間隔が長くなる場合に減少することを示している。従って、吸着サイクルが比較的長い期間にわたって維持される時に、ガスのより大きい容積が発生器内に入ることになり、増加する数の酸素分子が吸着体によって吸着されなければならないことになる。
【００１６】
その結果、吸着体床に生成された酸素前線は、ガス発生器の出口に向けて移動することになる。これに起因して、第２のガス状成分の濃度レベルは、出口で影響を受ける可能性がある。そのような場合に、ガス発生器の生産性は低下し、吸着工程の信頼性は落ちる。
【００１７】
本発明の方法は、ガス発生器の出口での第２のガス状成分の濃度を設定値と比較するだけでなく、発生器が吸着フェーズに維持される時間間隔を修正する前に、計算された発生器容量を出口流れと比較するので、第２のガス状成分の望ましい濃度が保証され、同じく最適エネルギ消費が、ガス発生器の機能全体を通して達成される。
【００１８】
別の公知の事実は、ガス発生器が、温度及び圧力のようなパラメータが議論される時に最も厳しく過酷な作動条件で作動するように設計されることである。そして、そのようなパラメータが、例えば、季節の変化又は別の地理的区域内の発生器の使用に起因して変動している時に、発生器は過度に大きくなる。公知の発生器は、そのような問題を解決することができないであろうが、本発明による方法は、これらの変動にかかわらず発生器のエネルギ効率的使用を可能にする。
【００１９】
実際に、試験は、本発明による方法を実施することにより、発生器の消費エネルギが４０％まで低減することを示している。
【００２０】
別の公知の事実は、典型的な生産ライン内では、第２のガス状成分の望ましい濃度及び容積は、典型的に変動していることであり、本発明による方法は、望ましい濃度及び容積に基づいて決定される予め決められた時間間隔にわたって発生器を吸着フェーズに維持する。従って、ガス発生器の機能能力の調節は、効率的な論理回路を通してエネルギ消費低減を達成するように実行される。
【００２１】
好ましくは、予め決められた時間間隔の後に、発生器は、再生サイクルを受けさせられ、その間に、第１のガス状成分の分子は、発生器から除去され、吸着体床は、公称吸着特性を有する初期ステージにもたらされる。
【００２２】
本発明による好ましい実施形態では、本方法は、決定された濃度を設定値と比較し、この濃度が設定値よりも低い場合に、入口ガス流れを中断して発生器に再生サイクルを受けさせる段階を更に含む。これに起因して、第２のガス状成分の所要の濃度は、望ましいレベルに維持される。
【００２３】
入口ガス流れの中断は、決定された濃度と設定値の間の比較が否定的な結果を明らかにした直後に実行することができ、又は本発明による方法は、吸着サイクルの開始から計算された公称の予め決められたサイクル時間Δｓ0後に入口ガスを中断することができる。
【００２４】
本発明は、更に、ガスの流れの通過を可能にする入口及び出口と第１のガス状構成要素をガス状混合物から選択的に吸着し、かつ第２のガス状成分を主として含む出口ガス流れが出口を通って流れることを可能にすることができる吸着材料とを含む少なくとも１つの容器と、入口ガス流れを容器の入口で供給するための手段とを含むガス発生器に関連し、このデバイスは、出口ガス流れを測定するために容器の出口に位置決めされた流量計と、容器の出口に位置決めされて第２のガス状成分の濃度を決定するための手段と、流量計と第２のガス状成分の濃度を決定するための手段とに接続されて出口ガス流れ及び測定された濃度の測定値を受信するように構成されたコントローラユニットとを更に含み、コントローラユニットは、容器の容量を計算し、測定された出口ガス流れを計算された容量と比較し、第２のガス状成分の決定された濃度を設定値と比較するように構成されたアルゴリズムが設けられた処理ユニットを更に含み、かつＡ．コントローラユニットは、更に、測定された濃度が設定値に等しいか又はそれよりも高い時、かつ測定された出口ガス流れが計算された容量よりも低い時に、予め決められた時間間隔Δｓにわたって入口ガス流れを維持するようにプログラムされる。
【００２５】
コントローラユニットの能力に起因して、そのようなデバイスのユーザは、エネルギ消費低減を伴う最良の結果を有すると考えられ、かつ使いやすいインタフェースからの利益を受けることになる。
【００２６】
更に、デバイスは、コントローラユニットによって制御されるので、かつ上記に指定した論理回路が適用されるので、維持費は、デバイスの構成部品が早期摩耗を引き起こすと考えられる限界条件で機能することから保護されるので低減する。コントローラユニットは、デバイスの寿命が長くなるように全ての変更をデバイスの設計に従って最良の計算された時点で適用するのを補助する。
【００２７】
本発明の特性をより良く示す意図で本発明による一部の好ましい構成をいかなる制限もなく一例として添付図面を参照して以下に説明する。
【図面の簡単な説明】
【００２８】
【図１】本発明の実施形態によるガス発生器を概略的に表す図である。
【図２】本発明の他の実施形態によるガス発生器を概略的に表す図である。
【図３】本発明の他の実施形態によるガス発生器を概略的に表す図である。
【図４】エネルギ消費を出口流れの関数として概略的に表す図である。
【発明を実施するための形態】
【００２９】
図１は、ガスの流れの通過を可能にする入口２と出口３を含むガス発生器１を示している。ガス発生器は、ガス状混合物を含む入口ガス流れから第１のガス状成分を選択的に吸着し、かつ第２のガス状成分を主として含む出口ガス流れを可能にすることができる吸着媒体（図示せず）を更に含む。
【００３０】
本発明の関連では、吸着は、吸収も含むことを理解しなければならない。
【００３１】
本発明は、ガス発生器の吸着フェーズを制御する方法に関連し、入口ガス流れは、ガス発生器１の入口２を通るように誘導され、容器４の出口での第２のガス状成分の濃度を決定するためにガス発生器１の出口３で出口ガス流れが測定される。
【００３２】
更に、本方法は、発生器の容量を計算し、計算された値を測定された出口流れと比較する段階を含む。
【００３３】
比較後に、測定された出口流れが計算された容量よりも低い場合、かつ決定された濃度が設定値よりも高いか又はそれに等しい場合に、ガス発生器１は、予め決められた時間間隔Δｓにわたって吸着フェーズに維持される。
【００３４】
本発明の関連では、発生器の容量は、現在の作動条件及び濃度の設定値でガス発生器１によって送出することができる単位時間当たりの第２のガス状成分の最大容積として理解しなければならない。
【００３５】
更に、出口流れは、単位時間当たりの第２のガス状成分の測定された容積として理解しなければならない。
【００３６】
好ましくは、予め決められた時間間隔Δｓは、濃度の設定値をガス発生器１によって維持することができるように、従って、吸着媒体が完全飽和しないように計算される。これに起因して、ガス発生器１は、得られる第２のガス状成分の濃度レベルを危うくすることなく、かつガス発生器１に最適結果が得られるように必要以上のエネルギを消費させることを可能にすることなく可能な限り長く吸着フェーズに維持される。
【００３７】
予め決められた時間間隔Δｓ後に、ガス発生器は、再生サイクルを受けさせられる。再生サイクル中に、吸着媒体は、第１のガス状成分の気体分子を排除することが可能になり、それによって吸着体は、最適吸着機能を有し、ガス発生器１は、別の吸着サイクルのために準備される。
【００３８】
本発明の関連では、吸着サイクルは、ガス発生器１内に含まれた吸着媒体が入口２を通る入口ガスのガス状混合物の分別に使用され、従って、第１のガス状成分を吸着し、第２のガス状成分を主として含むガスが出口３を通って流れることを可能にする時間間隔として理解しなければならない。
【００３９】
好ましくは、予め決められた時間間隔Δｓは、ガス発生器１が吸着サイクルを開始した瞬間としての開始点と、ガス発生器１が吸着サイクルを終了した時の終了点とを有する。
【００４０】
本発明による別の実施形態では、予め決められた時間間隔Δｓは、現在の瞬間での開始点と将来の終了点とを有し、計算された容量、測定された出口流れ、及び第２のガス状成分の濃度の設定値に基づいて決定される。吸着媒体の典型的な挙動に基づいて、そのような終了時間を近似することができる。
【００４１】
本発明による別の実施形態では、本方法は、決定された濃度を設定値と比較し、濃度が設定値よりも低い場合は入口ガス流れを中断し、発生器に再生サイクルを受けさせる段階を更に含む。
【００４２】
この比較が濃度の設定値が満足されていないことを明らかにする時に、入口ガス流れは、直ちに中断することができ、又は本方法は、入口ガス流れを中断する前に例えば約５又は６秒以上の許容範囲を考慮することができる。
【００４３】
好ましくは、本方法は、入口ガス流れを公称の予め決められたサイクル時間Δｓ0後に中断する段階を含む。公称の予め決められたサイクル時間Δｓ0は、公知の機能条件下でガス発生器１が比較的高い濃度を有する第２のガス状成分を生成することができる計算された最小時間間隔である。
【００４４】
公称の予め決められたサイクル時間Δｓ0は、ガス発生器１が吸着サイクルを開始した瞬間での開始点と、ガス発生器１が吸着サイクルを終了した瞬間での終了点とを有する。
【００４５】
好ましくは、発生器の容量は、以下の式：
Ｑｃａｐ＝比容量×発生器容積×Ｋｐｃ×Ｋｔｃ
に基づいて決定され、それにより、Ｋｐｃは、容量に対する圧力補正係数であり、Ｋｔｃは、容量に対する温度補正係数である。
【００４６】
本発明の関連では、比容量は、吸着媒体の１立方メートル当たりのかつ例えば以下に限定されるものではないが約７バールの圧力及び約２０℃の温度のような圧力及び温度の公称条件下でのガス発生器１の容量として理解しなければならない。
【００４７】
Ｋｐｃ及びＫｔｃは、第２のガス状成分の設定値及びそれぞれ発生器のレベルで測定された実際の温度又は圧力の設定値に依存する２つの補正係数である。
【００４８】
好ましくは、温度は、温度センサＴの助けを借りて測定され、圧力は、圧力センサＰの助けを借りて測定される。
【００４９】
好ましくは、本発明による方法は、発生器が吸着フェーズにある時間量Δｔ１を最小設定時間間隔Δｔ２と比較する段階を更に含む。
【００５０】
Δｔ１は、ガス発生器１が吸着サイクルを開始する時に好ましくは開始するカウンタであり、Δｔ１＝ｔｃ−ｔｉによって定義され、ｔｃは、現在時間であり、ｔｉは、初期時間である。
【００５１】
好ましくは、本方法は、ガス発生器１が吸着サイクルを開始する時にカウンタをリセットする段階を含む。より具体的には、本方法は、好ましくは、ガス発生器１が吸着サイクルを開始する時にｔｃ及びｔｉの両方の値をリセットする段階を含む。
【００５２】
Δｔ２は、ガス発生器１が吸着サイクルを開始する時に好ましくは開始するカウンタであり、Δｔ２＝ｔｄ−ｔｉによって定義され、ｔｄは、ガス発生器が他のパラメータの値と無関係に吸着サイクル内で維持される最小時間量であり、ｔｉは、ガス発生器１が吸着サイクルを開始する初期時間である。
【００５３】
好ましくは、本方法は、ガス発生器１が吸着サイクルを開始した時にカウンタをリセットする段階を含む。より詳細には、本方法は、好ましくは、ガス発生器１が吸着サイクルを開始する時にｔｉの値をリセットし、好ましくは、ｔｄの値を一定に保つ段階を含む。
【００５４】
Δｔ１をΔｔ２と比較した後に、本方法は、Δｔ１＞Δｔ２の場合、かつ決定された濃度が設定値よりも高いか又はそれに等しい場合、かつ測定された出口流れが計算された容量よりも低い場合に、予め決められた時間間隔Δｓにわたってガス発生器１を吸着フェーズに維持するか、又は公称の予め決められたサイクル時間Δｓ0中にガス発生器１を吸着フェーズに維持する段階を含み、ガス発生器１は、Δｔ１＜＝Δｔ２の場合に、又は決定された濃度が設定値よりも低い場合かつ測定された出口流れが計算された容量よりも低い場合に、その後に再生サイクルを受けさせられる。
【００５５】
好ましくは、ただし制限ではなく、第１のガス状成分は、酸素であり、第２のガス状成分は、窒素である。
【００５６】
本発明による方法は、発生器１の一部である少なくとも１つの容器４の入口５を通るように入口ガス流れを誘導する段階を更に含む。
【００５７】
好ましくは、本方法は、これに代えて少なくとも２つの容器４（図２）の入口５を通るか、又は少なくとも４つの容器４（図３）又はそれよりも多くを通るように入口ガス流れを誘導する段階を更に含む。
【００５８】
本方法は、これに代えて２つの容器４、又は４つの容器４、又はそれよりも多いものの入口５を通るように入口ガス流れを誘導する段階を含むので、吸着工程の効率が改善し、その理由は、１つの容器４が再生サイクルを受けると直ちにガス発生器１の出口３での第２のガス状成分の生成を中断することなく別の容器４を使用することができるからである。
【００５９】
別の実施形態では、１つの容器４が再生サイクルを受ける時に、１つの容器４からの出口ガス流れは、少なくとも別の容器４の入口５に誘導される。これに起因して、再生フェーズにある容器４は、ガス状混合物を出口６で受け入れることになり、ガス状混合物は、第２のガス状成分の比較的高い濃度を含むことになり、ガス状混合物は、再生されている容器のガス状含有物を容器４の入口５に位置決めされたバルブ１１又はタップなどを通して入口に向けて、及び更に外側環境に押し進めることになる。それによって容器４を短縮された期間に再生し、次の吸着サイクルのために容器４をより良好に準備することができる。
【００６０】
本発明による方法によって実行される別の可能な段階は、出口流れを計算された容量と比較して、計算された容量と比較された時に出口流れが第１の閾値よりも高い場合は入口流量を予め決められた時間間隔にわたって維持する段階である。これに起因して、ガス発生器１の最適機能が適用され、エネルギ消費が更に低減する。
【００６１】
好ましくは、ただし制限ではなく、本方法は、少なくとも１つの閾値を使用し、かつ計算された容量と比較された時に測定された出口流れが第１の閾値よりも高い場合に入口ガス流れを予め決められた時間間隔Δｓ０にわたって維持する段階、又は計算された容量と比較された時に測定された出口流れが第１の閾値よりも低い場合に入口ガス流れを予め決められた第１の時間間隔Δｓ１にわたって維持する段階のうちの少なくとも一方を更に含む。
【００６２】
好ましくは、ただし制限ではなく、本方法は、１又は２以上の設定閾値を使用し、かつ計算された容量と比較された時に測定された出口流れが第１の閾値よりも高い場合に入口ガス流れを予め決められた公称時間間隔Δｓ0にわたって維持する段階、又は計算された容量と比較された時に測定された出口流れが第１の閾値よりも低い場合に入口ガス流れを予め決められた第１の時間間隔Δｓ1にわたって維持する段階、又は計算された容量と比較された時に測定された出口流れが第２の閾値よりも低い場合に入口ガス流れを予め決められた第２の時間間隔Δｓ2にわたって維持する段階、又は計算された容量と比較された時に測定された出口流れが第３の閾値よりも低い場合に入口ガス流れを予め決められた第３の時間間隔Δｓ3にわたって維持する段階のうちの少なくとも１つを更に含む。
【００６３】
論理回路を適用することにより、システムの効率は更に改善する。
【００６４】
好ましくは、時間間隔のうちの２又は３以上は、互いに比較された時に異なる長さのものである。
【００６５】
好ましくは、ただし制限ではなく、公称時間間隔Δｓ０は、間隔、すなわち、１５及び６５秒、又は２０及び６５秒の間、又は２０及び４５秒の間内で選択された値とすることができる。
【００６６】
好ましくは、ただし制限ではなく、予め決められた第１の時間間隔Δｓ１は、間隔、すなわち、４５及び８５秒又は４５及び６０秒内で選択された値とすることができる。
【００６７】
好ましくは、ただし制限ではなく、予め決められた第２の時間間隔Δｓ２は、間隔、すなわち、６０及び１２０秒又は６０及び８０秒内で選択された値とすることができる。
【００６８】
好ましくは、ただし制限ではなく、予め決められた第３の時間間隔Δｓ３は、間隔、すなわち、８０及び３００秒又は８０及び１８０秒内で選択された値とすることができる。
【００６９】
本発明の関連では、定義された時間間隔は、一例にすぎず、他の値を使用することもできることは理解されるものとする。
【００７０】
好ましくは、ただし制限ではなく、第１の閾値は、約８０％で選択することができ、第２の閾値は、約６０％で選択することができ、第３の閾値は、約４０％で選択することができる。
【００７１】
本発明の関連では、定義された閾値は、一例にすぎず、他の値を使用することもできることは理解されるものとする。
【００７２】
本発明による別の実施形態では、本方法は、計算された容量と比較された時に測定された出口流れが第１の閾値よりも高いか又はそれに等しい場合に入口ガス流れを予め決められた公称時間間隔Δｐ0にわたって維持する段階、又は計算された容量と比較された時に測定された出口流れが第１の閾値よりも低い場合に入口ガス流れを予め決められた第１の時間間隔Δｐ1にわたって維持する段階、又は計算された容量と比較された時に測定された出口流れが第２の閾値よりも低い場合に入口ガス流れを予め決められた第２の時間間隔Δｐ2にわたって維持する段階、又は計算された容量と比較された時に測定された出口流れが第３の閾値よりも低い場合に入口ガス流れを予め決められた第３の時間間隔Δｐ3にわたって維持する段階、又は計算された容量と比較された時に測定された出口流れが第４の閾値よりも低い場合に入口ガス流れを予め決められた第４の時間間隔Δｐ4にわたって維持する段階、又は計算された容量と比較された時に測定された出口流れが第５の閾値よりも低い場合に入口ガス流れを予め決められた第５の時間間隔Δｐ5にわたって維持する段階、又は計算された容量と比較された時に測定された出口流れが第６の閾値よりも低い場合に入口ガス流れを予め決められた第６の時間間隔Δｐ6にわたって維持する段階、又は計算された容量と比較された時に測定された出口流れが第７の閾値よりも低い場合に入口ガス流れを予め決められた第７の時間間隔Δｐ7にわたって維持する段階、又は計算された容量と比較された時に測定された出口流れが第８の閾値よりも低い場合に入口ガス流れを予め決められた第８の時間間隔Δｐ8にわたって維持する段階、又は計算された容量と比較された時に測定された出口流れが第９の閾値よりも低い場合に入口ガス流れを予め決められた第９の時間間隔Δｐ9にわたって維持する段階のうちの少なくとも１つを更に含む。
【００７３】
好ましくは、時間間隔のうちの２又は３以上は、互いに比較された時に異なる長さのものである。
【００７４】
好ましくは、時間間隔、すなわち、Δｓ０、Δｓ１、Δｓ２、Δｓ３と、Δｐ１、Δｐ２、Δｐ３、Δｐ４、Δｐ５、Δｐ６、Δｐ７、Δｐ８、Δｐ９、Δｐ１０とのうちの２又は３以上は、互いに比較された時に異なる長さであり、従って、出口流れ及び計算された容量に依存して、吸着媒体は、発生器が閾値到達又は不到達に応じて異なる時間量にわたって最適状態で機能することを可能にすることになる。
【００７５】
好ましくは、ただし制限ではなく、予め決められた公称時間間隔Δｐ０は、間隔、すなわち、１５及び５０秒内で選択された値とすることができ、予め決められた第１の時間間隔Δｐ１は、間隔、すなわち、３０及び６０秒内で選択された値とすることができ、予め決められた第２の時間間隔Δｐ２は、間隔、すなわち、４０及び７０秒内で選択された値とすることができ、予め決められた第３の時間間隔Δｐ３は、間隔、すなわち、５０及び８０秒内で選択された値とすることができ、予め決められた第４の時間間隔Δｐ４は、間隔、すなわち、６０及び９０秒内で選択された値とすることができ、予め決められた第５の時間間隔Δｐ５は、間隔、すなわち、７０及び１００秒内で選択された値とすることができ、予め決められた第６の時間間隔Δｐ６は、間隔、すなわち、８０及び１３０秒内で選択された値とすることができ、予め決められた第７の時間間隔Δｐ７は、間隔、すなわち、９０及び１５０秒内で選択された値とすることができ、予め決められた第８の時間間隔Δｐ８は、間隔、すなわち、１００及び２００秒内で選択された値とすることができ、予め決められた第９の時間間隔Δｐ９は、間隔、すなわち、１１０及び３００秒内で選択された値とすることができる。
【００７６】
本発明の関連では、定義された時間間隔は、一例にすぎず、他の値を使用することもできることは理解されるものとする。
【００７７】
好ましくは、閾値及び時間間隔は、発生器１のタイプ及びサイズ及び吸着媒体のタイプ及び容積に基づいて計算される。
【００７８】
好ましくは、ただし制限ではなく、第１の閾値は、約９０％で選択することができ、第２の閾値は、約８０％で選択することができ、第３の閾値は、約７０％で選択することができ、第４の閾値は、約６０％で選択することができ、第５の閾値は、約５０％で選択することができ、第６の閾値は、約４０％で選択することができ、第７の閾値は、約３０％で選択することができ、第８の閾値は、約２０％で選択することができ、第９の閾値は、約１０％で選択することができる。
【００７９】
本発明の関連では、上述の定義された閾値は、一例にすぎず、他の値を使用することもできることは理解されるものとする。
【００８０】
本方法はそのような段階を適用するので、出口３での需要に基づいて、第２のガス状成分の生成の正確かつ高速適応化が実行され、ガス発生器１が需要に対して過大又は過小になるリスクが排除される。従って、ガス発生器は、機能範囲全体を通して最適パラメータで機能することになる。遭遇される別の利益は、入口ガス流れの容積の低減である。
【００８１】
本発明の関連では、間隔の数は、ガス発生器の能力及び望ましい結果に応じて例えば２から２０又はそれよりも多くまで変動する可能性があることは理解されるものとする。
【００８２】
本発明による別の実施形態では、本方法は、連続的に適用することができ、サイクル時間は、定義された設定値間で連続的に補間される。これに起因して、更に大きいエネルギ消費を測定することができる（図４）。
【００８３】
本発明による更に別の実施形態では、本方法は、容器が吸着サイクルに維持されていた時間間隔の長さ及び／又は第２のガス状成分の濃度の設定値に依存する時間間隔中に１つの容器４を再生サイクルに維持する段階を更に含むことができる。
【００８４】
一例として、ただし制限ではなく、容器４が吸着サイクルに維持される時間間隔が延長される時に、好ましくは、容器４が再生サイクルに維持される時間間隔も延長される。
【００８５】
典型的に、ただし制限ではなく、容器４が再生サイクルに維持される公称時間間隔は、約３０秒とすることができ、そのような時間間隔は、約６０秒又はそれよりも長くまで延長することができる。
【００８６】
好ましくは、再生サイクルは、ノズル又はオリフィスのような固定流量バルブ又は固定制限器又は開閉バルブを通して実行することができ、又は再生サイクルは、通過して排除されるガスの容積を調節することができる流量コントローラの助けを借りて実行することができる。
【００８７】
再生サイクル中に、第１のガス状成分及び第２のガス状成分の両方は容器４から排気されるので、再生サイクルが維持される時間間隔を延長することにより、高い濃度の第２のガス状成分を含むより大きい容積のガスを容器４から排除することができる。しかし、時間、従って、再生ガスの全容積を調節する流量コントローラ又は開閉バルブが使用される場合に、容積は、最小に低減され、容器４は、効率的に次の吸着サイクルのために準備される。
【００８８】
本発明は、更に、入口５と出口６とを有する少なくとも１つの容器４（図１）を含むガス発生器１に関連する。
【００８９】
ガス発生器は、ガス混合物が入口５を通って流れることを可能にし、吸着材料（図示せず）を使用することにより、第１のガス状成分を捕捉し、第２のガス状成分を主として含むガス流れが出口６を通って流れることを可能にする。
【００９０】
ガス発生器１は、単位時間当たりの容器４を出る第２のガス状成分の容積を測定する容器の出口６に位置決めされた流量計７を更に含む。
【００９１】
ガス発生器１は、第２のガス状成分の濃度を決定するモジュール８を更に含み、モジュールは、容器４の出口６にも位置決めされる。
【００９２】
好ましくは、ただし制限ではなく、モジュール８は、出口ガス流れから第１のガス状成分の濃度を測定し、測定値を１００から差し引くことによって第２のガス状成分の濃度を決定する。
【００９３】
本発明による好ましい実施形態では、第１のガス状成分は、酸素であり、第２のガス状成分は、窒素である。
【００９４】
好ましくは、ただし制限ではなく、モジュール８は、容器４の出口６で流れるガス内の酸素の量を検出する酸素レベル送信機である。酸素レベル送信機は、酸素の濃度を出口ガス流れから連続的に又はある一定のサンプリング速度で測定することができる。
【００９５】
好ましくは、モジュール８は、ガス発生器１の一部を形成する。
【００９６】
ガス発生器１は、有線又は無線接続を通して流量計７と第２のガス状構成要素の濃度を決定するモジュール８とに接続されたコントローラユニット９を更に含み、コントローラユニットは、出口ガス流れ及び測定された濃度の測定値を受信するように構成される。
【００９７】
コントローラユニット９は、受信測定値を格納するストレージユニットを更に含むことができ、又は有線又は無線接続を通してそのような値を外部電子モジュールに送ることができる。
【００９８】
無線接続は、無線信号又はＷｉ−Ｆｉ信号を通して実行することができる。好ましくは、ガス発生器１は、通信が行われることを可能にする無線受信機（図示せず）を含む。
【００９９】
明瞭にするために、有線接続は、図面内に含まれていない。
【０１００】
更に、コントローラユニットは、測定値を測定が行われると直ちに又は特定の時間間隔内で受信することができる。同じく、コントローラユニットは、測定値の全ての値を受信することができ、又は特定の時間間隔後に行われた１つのみの測定値を受信することができる。
【０１０１】
更に、測定は、連続的に又はある一定のサンプリング速度で実行することができる。
【０１０２】
好ましくは、コントローラユニット９は、容器４の容量を計算し、測定された出口ガス流れを計算された容量と比較し、第２のガス状成分の決定された濃度を設定値と比較するように構成されたアルゴリズムを含む処理ユニットを更に含む。
【０１０３】
容器４の容量は、出口６で現在の作動条件下で及び第２のガス状成分の濃度の設定値で送出することができる単位時間当たりの第２のガス状成分の最大容積として理解しなければならない。
【０１０４】
別の好ましい実施形態では、本明細書において先に定義した時間間隔及び閾値は、ストレージユニットに格納される。好ましくは、そのような時間間隔及び閾値は、ガス発生器１が機能する前に定義される。
【０１０５】
好ましくは、コントローラユニット９は、更に、測定された濃度が設定値に等しいか又はそれよりも高い時、かつ測定された出口ガス流れが計算された容量よりも低い時に、入口ガス流れを予め決められた時間間隔Δｓにわたって維持するようにプログラムされる。
【０１０６】
本発明による別の実施形態では、コントローラユニット９は、更に、容器４の入口５での入口ガス流れを予め決められた公称サイクル時間間隔Δｓ0にわたって維持し、測定された濃度が設定値よりも低い時に入口ガス流れを予め決められた公称サイクル時間間隔Δｓ0後に停止するようにプログラムされる。
【０１０７】
容器４を別の吸着サイクルに対して準備するために、コントローラユニット９は、更に、それぞれ予め決められた時間間隔Δｓ後に又は公称サイクル時間間隔Δｓ０後に再生サイクルを容器４に適用するようにプログラムされる。
【０１０８】
吸着工程の効率の改善のために、本発明によるガス発生器１は、好ましくは、少なくとも２つの容器４を含み、容器の各々は、ガスの流れが通過するのを可能にする入口５及び出口６と、ガス状混合物から第１のガス状成分を選択的に吸着し、かつ第２のガス状成分を主として含む出口ガス流れが出口６を通って流れることを可能にすることができる吸着材料（図示せず）とを含む。
【０１０９】
本発明による好ましい実施形態では、容器４の各々は、各容器の出口６に位置決めされた流量計７と第２のガス状成分の濃度を決定するモジュール８とを含む。
【０１１０】
本発明による別の実施形態では、全ての容器の出口６は、接続されて共通の出口を形成し、共通の出口は、流量計７と第２のガス状成分の濃度を決定するモジュール８とを更に含む。
【０１１１】
好ましくは、コントローラユニット９は、更に、少なくとも２つの容器４のうちの一方の入口５を通る入口ガス流れを選択的に供給するようにプログラムされる。
【０１１２】
別の好ましい実施形態では、容器４は、入口ガス流れが容器４の吸着媒体に到達することを可能にするバルブ１０を入口５に更に含む。
【０１１３】
好ましくは、容器４の各々は、入口ガス流れが吸着媒体に到達することを可能にするバルブ１０を含む。
【０１１４】
好ましくは、コントローラユニット９は、入口ガス流れが容器４の一方の吸着媒体に到達する必要がある時はいつでもバルブ１０の各々を開閉するようにプログラムされる。
【０１１５】
好ましくは、ただし制限ではなく、コントローラユニット９は、一度に１つの容器４のみが吸着フェーズにあるようにバルブ１０を開くようにプログラムされる。
【０１１６】
好ましくは、コントローラユニット９は、各個々の容器のバルブ１０と同時に出口バルブ１２を開く。
【０１１７】
コントローラユニット９は、好ましくは、温度センサＴ及び圧力センサＰで実行された温度及び圧力測定に基づいて発生器１の比容量を再計算する。
【０１１８】
本発明によるガス発生器１は、少なくとも２つの容器４の各々が外側環境に通気されることを可能にする分岐接続部１１を更に含むことができる。
【０１１９】
好ましくは、分岐接続部１１は、バルブ又はタップのような形状にあるとすることができる。
【０１２０】
好ましくは、コントローラユニット９は、更に、再生サイクルを少なくとも２つの吸着容器４の一方に対して開始し、他の少なくとも２つの再生容器４（図３）の一方を通るように入口ガス流れを選択的に誘導するようにプログラムされる。好ましくは、これは、容器４の入口に位置決めされたバルブ１０の助けを借りて行われる。
【０１２１】
本発明による別の実施形態では、コントローラユニット９は、更に、少なくとも２つの容器４の一方が吸着フェーズにある時間間隔Δｔ１を測定し、測定された時間間隔を最小設定時間間隔Δｔ２と比較するようにプログラムされ、Δｔ１＞Δｔ２である場合、かつ測定された濃度が設定値に等しいか又はそれよりも高い場合、かつ測定された出口流れが計算された容量よりも低い時に、コントローラユニット９は、入口ガス流れを予め決められた時間間隔Δｓにわたって維持し、又はΔｔ１＜＝Δｔ２である場合、かつ測定された濃度が設定値に等しいか又はそれよりも高い場合、かつ測定された出口流れが計算された容量よりも低い時に、コントローラユニット９は、入口ガスを予め決められた公称サイクル時間間隔Δｓ0にわたって維持する。
【０１２２】
好ましくは、ただし制限ではなく、少なくとも２つの容器４の各々は、炭素分子篩を含む吸着媒体を含む。
【０１２３】
別の好ましい実施形態では、入口ガス流れは、圧縮機ユニット１２’の出口から供給することができ、出口ガス流れは、ユーザのネットワーク１３に誘導することができる。
【０１２４】
好ましくは、ただし制限ではなく、出口ガス流れは、ユーザのネットワーク１３に誘導される前に窒素受容器（図示せず）に到達する。
【０１２５】
本発明による別の実施形態では、第２のガス状成分の濃度は、窒素受容器後かつユーザのネットワーク１３前に決定される。
【０１２６】
決定された濃度が設定値よりも低い場合に、窒素受容器は、好ましくは、洗浄サイクルを受けさせられる。そのような洗浄サイクル中に、窒素受容器に存在するガス状混合物は、外側環境に到達することが可能になる。好ましくは、洗浄サイクルは、窒素受容器の出口に位置決めされたバルブを開くことによって実行される。
【０１２７】
別の本発明による好ましい実施形態では、ガス発生器１は、好ましくはコントローラユニット９に接続されたユーザインタフェース（図示せず）を更に含む。
【０１２８】
ユーザインタフェースを使用することにより、本発明によるガス発生器１のユーザは、出口ガス流れがネットワークの要件と対応することになるように、第２のガス状成分の濃度の設定値、ガス発生器のエネルギ消費、入口ガス流れの圧縮機ユニット又は別の発生器の使用、使用される吸着媒体のタイプ、使用される容器の数、又はそのあらゆる組合せを含む群から選択されたパラメータのような異なるパラメータを選択することができる。
【０１２９】
ユーザインタフェースは、異なる選択肢を含むタッチスクリーンの形状、又はユーザが異なる選択を行うことを可能にするポテンショメータの形状、又はガス発生器１をユーザが必要性に従って構成することを可能にするバルブ又はレバーのような手動で起動する接続部の形状とすることができる。
【０１３０】
ユーザインタフェースは、ガス発生器１の一体部分のためのものとすることができ、又は有線又は無線接続を通してガス発生器１と通信する外部電子モジュールの一部を形成することができる。
【０１３１】
本発明は、更に、再生容器４の出口６での出口ガス流れ７を再測定するための手段と、再生容器４の出口６での第２のガス状成分の濃度８を決定するための手段と、測定されたデータを設定値と比較し、かつガスの流れが容器４の入口５を通って案内される時間間隔を制御する処理ユニットとを含み、本発明によるガス発生器内に設けられるように構成されたコントローラユニットに関連する。
【実施例１】
【０１３２】
好ましくは、ただし限定ではなく、下表に従って補間された容量Ｋｐｃに対する圧力補正係数に関する実施例１
【０１３３】
（表）
0006615915.tif 000002
【０１３４】
従って、濃度の第１の設定値は、好ましくは９５及び９９．５％の間で選択される値とすることができる第２のガス状成分の濃度の設定値を指す。
【０１３５】
濃度の第２の設定値は、好ましくは９９．５及び９９．９９９％の間で選択される値とすることができる第２のガス状成分の濃度の設定値を指す。
【実施例２】
【０１３６】
好ましくは、ただし限定ではなく、下表に従って補間された容量Ｋｔｃの温度補正係数に関する実施例２
【０１３７】
（表）
0006615915.tif 000003
【０１３８】
濃度の第１の設定値は、好ましくは９５及び９９．５％の間で選択される値とすることができる第２のガス状成分の濃度の設定値を指す。
【０１３９】
濃度の第２の設定値は、好ましくは９９．５及び９９．９９９％の間で選択される値とすることができる第２のガス状成分の濃度の設定値を指す。
【０１４０】
本発明は、一例として説明して図面に示した実施形態に決して限定されず、むしろそのようなガス発生器は、本発明の範囲から逸脱することなく全ての種類の変形に実現することができる。
【符号の説明】
【０１４１】
１  ガス発生器
４  容器
５  入口
６  出口
７  流量計
【図１】
0006615915.tif 000004
【図２】
0006615915.tif 000005
【図３】
0006615915.tif 000006
【図４】
0006615915.tif 000007